(57)【要約】【課題】ＨＤＤの保存領域を有効に利用しつつ、ＳＳＤ等の第２記憶装置を併用して所望のデータ転送速度を確保することができる画像形成装置を提供する。【解決手段】ＨＤＤに画像データを書き込む際には、ＨＤＤ内の複数のトラックのうち所定の境界トラックより外周側のトラックに優先して前記画像データを書き込み、所定の境界トラックより外周側のトラックに空き領域が無い場合は、前記ＨＤＤの前記境界トラックを使用する場合より速いデータ転送速度を有する第２記憶装置に前記画像データを保存する。【選択図】図３
2014138342.tif 000002
【特許請求の範囲】
【請求項１】
画像データに基づいて記録紙上に画像を形成する画像形成部と、
前記画像形成部に転送される画像データが保存されるＨＤＤと、
第２記憶装置と、
画像データの書き込み先を制御する制御部と、
を備え、
前記制御部は、前記ＨＤＤに画像データを書き込む際に、前記ＨＤＤ内の複数のトラックのうち所定の境界トラックより外周側のトラックに優先して前記画像データを書き込み、前記境界トラックより外周側のトラックに空き領域が無い場合は、前記第２記憶装置に前記データを保存する内周回避制御を行い、
前記第２記憶装置は、前記ＨＤＤの前記境界トラックを使用する場合より速いデータ転送速度を有する
ことを特徴とする画像形成装置。
【請求項２】
自装置が発する振動の強度が異なる複数の動作モードを有し、
前記制御部は、前記動作モードに応じて前記境界トラックを変更する
ことを特徴とする請求項１に記載の画像形成装置。
【請求項３】
前記制御部は、特定の動作モードの場合に、前記内周回避制御を行う
ことを特徴とする請求項１または２に記載の画像形成装置。
【請求項４】
前記制御部は、第２の動作モードでは、所定の境界トラックより内周側のトラックを優先して画像データを保存するように制御する
ことを特徴とする請求項１乃至３のいずれか１つに記載の画像形成装置。
【請求項５】
ユーザからの操作を受け付ける操作部を更に備え、
前記制御部は、所定のデータ転送速度以上で画像データを読み出す必要のある第３の動作モードの実行を指示する可能性の高い操作をユーザから受け付けた際に、その読み出し対象の画像データが前記境界トラックより内周側のトラックに保存されている場合は、前記画像データを複製した複製データを前記第２記憶装置に作成し、
前記複製データの複製元の画像データを読み出し対象とする前記第３の動作モードの実行を指示する操作をユーザから受け付けた場合は、前記複製データを前記第２記憶装置から読み出す
ことを特徴とする請求項３または４に記載の画像形成装置。
【請求項６】
前記特定の動作モードは、コピーとＰＣプリントのうちのすくなくとも１つを含む
ことを特徴とする請求項３に記載の画像形成装置。
【請求項７】
前記ＨＤＤはＲＡＩＤ構成されており、
画像データは前記ＨＤＤへストライピングにより保存される
ことを特徴とする請求項１乃至６のいずれか１つに記載の画像形成装置。
【請求項８】
前記第２記憶装置はＳＳＤである
ことを特徴とする請求項１乃至６のいずれか１つに記載の画像形成装置。
【発明の詳細な説明】
【技術分野】
【０００１】
本発明は、ＨＤＤと他の記憶装置を併用する画像形成装置に関する。
【背景技術】
【０００２】
従来、画像データのような大容量のデータを保存する媒体としては、容量当たりのコストが安いＨＤＤ（Hard Disk Drive）を採用している。ＨＤＤは、使用方法や、使用環境等によってデータ転送速度が低下することがある。
【０００３】
使用方法や使用環境等が最悪の条件であっても一定以上のデータ転送速度を保つ方法として、たとえば、ＨＤＤを複数台搭載しＲＡＩＤ（Redundant Arrays of Inexpensive Disks）構成をとることで（並列的に使用することで）、データ転送速度を向上させる（データ転送を高速化する）方法（ＲＡＩＤ０（ストライピング））がある。ただし、ＲＡＩＤ０（ストライピング）では、並列駆動される複数台のＨＤＤのうちの最も遅いもののデータ転送速度に、ＨＤＤの台数を掛けたものが全体のデータ転送速度となるため、１台でもデータ転送速度が低下すると、そのデータ転送速度低下に伴ってＲＡＩＤ０全体でのデータ転送速度が大きく低下してしまう。
【０００４】
多数のＨＤＤでＲＡＩＤを構成すれば、各ＨＤＤのデータ転送速度が低下した状態であっても一定以上の速度でデータを転送することは可能であるが、多数のＨＤＤを搭載する場合には、その分だけＨＤＤ本体およびＳＡＴＡ（Serial Advanced Technology Attachment）コントローラボードが必要になり、コストがかかってしまう。
【０００５】
ＨＤＤに代えてＳＳＤ（Solid State Drive）を使用する方法もあるが、ＳＳＤは単位容量当たりのコストが高いので、画像データのような大容量のデータをＳＳＤのみを使用して保存することは適さない。
【０００６】
そこで、普段はＨＤＤを使用しつつ、条件に応じて使用する記憶デバイスをＨＤＤからＳＳＤに切り替える方法が複数提案されている。
【０００７】
たとえば、特許文献１には、各種のセンサーによって、温度、振動、衝撃、気圧、バッテリーの残量、音圧もしくは暗騒音に対するＨＤＤの相対発生音、または、ディスク装置の発生音、装置が電源投入時・切断時である等の環境条件を判断し、その判断結果（またはユーザの指示）に応じて、データの保存先としてＨＤＤとＳＳＤを切り替える方法が開示されている（特許文献１）。
【先行技術文献】
【特許文献】
【０００８】
【特許文献１】特開２００６−３３８６９１号公報
【特許文献２】特開２０１１−５１５７２７号公報
【発明の概要】
【発明が解決しようとする課題】
【０００９】
しかし、特許文献１に開示の方法は、周囲の環境によってＨＤＤの動作が不安定な場合に、データの書き込み先をＳＳＤに切り替えることによって、処理の継続やデータの一貫性を保証する方法を述べているに過ぎず、ＨＤＤのデータ転送速度が低下する問題には対応していない。
【００１０】
特許文献２には、ＨＤＤにランダムアクセスを行った場合は、シーケンシャルアクセスを行った場合に比べてデータの転送に時間を要することから、データ転送速度の確保のため、ランダムアクセスを行う種類のデータはＨＤＤではなくＳＳＤに書き込む方法（データの種類に応じて書き込み先を切り替える方法）が開示されている（特許文献２）。しかし、ＨＤＤにシーケンシャルアクセスを行う場合（連続データを書き込む場合）であっても、前述したように、使用方法や使用環境等によってＨＤＤのデータ転送速度が低下する場合がある。
【００１１】
たとえば、データの書き込み場所が、ＨＤＤ（プラッタ）の内周部であるか外周部であるかによっても、データ転送速度は変化する。すなわち、データを読み書きする場所がプラッタの内周側に近づくほどデータ転送速度は遅くなる。よって、プラッタの外周部でデータの読み書きを行う場合は所望のデータ転送速度を達成できても、プラッタの内周部でデータの読み書きを行う場合はこれを達成できなくなる場合がある。
【００１２】
本発明は、上記の問題を解決しようとするものであり、ＨＤＤの保存領域を有効に利用しつつ、ＳＳＤ等の第２記憶装置を併用して所望のデータ転送速度を確保することのできる画像形成装置を提供する。
【課題を解決するための手段】
【００１３】
かかる目的を達成するための本発明の要旨とするところは、次の各項の発明に存する。
【００１４】
［１］画像データに基づいて記録紙上に画像を形成する画像形成部と、
前記画像形成部に転送される画像データが保存されるＨＤＤと、
第２記憶装置と、
画像データの書き込み先を制御する制御部と、
を備え、
前記制御部は、前記ＨＤＤに画像データを書き込む際に、前記ＨＤＤ内の複数のトラックのうち所定の境界トラックより外周側のトラックに優先して前記画像データを書き込み、前記境界トラックより外周側のトラックに空き領域が無い場合は、前記第２記憶装置に前記データを保存する内周回避制御を行い、
前記第２記憶装置は、前記ＨＤＤの前記境界トラックを使用する場合より速いデータ転送速度を有する
ことを特徴とする画像形成装置。
【００１５】
上記発明では、ＨＤＤに画像データを書き込む際に、ＨＤＤ内の複数のトラックのうち所定の境界トラックより外周側のトラックに優先してデータを書き込み、所定の境界トラックより外周側のトラックに空き領域が無い場合は、第２記憶装置にその画像データを保存する。これにより、データ転送速度を、ユーザが所望する速度以上に保つことができる。画像データの書き込みは、外周側のトラックから内周側のトラックに向けて順番に行ってもよい。所定の境界トラックより外周側のトラックに優先して書き込まれるのであればその順番は問わない。
【００１６】
［２］自装置が発する振動の強度が異なる複数の動作モードを有し、
前記制御部は、前記動作モードに応じて前記境界トラックを変更する
ことを特徴とする［１］に記載の画像形成装置。
【００１７】
上記発明では、自装置が発する振動の強度が異なる複数の動作モードに応じて、境界トラックを変更する。たとえば、ＨＤＤは振動の影響でデータ転送速度が低下するので、振動が多い（強い）動作モードを実行する際には、ＨＤＤと第２記憶装置を切り替える基準となる境界トラックを、より外周側のトラックに変更する。これにより、振動の影響を受けていても、データ転送速度を、ユーザが所望する速度以上に保つことができる。
【００１８】
［３］前記制御部は、特定の動作モードの場合に、前記内周回避制御を行う
ことを特徴とする［１］または［２］に記載の画像形成装置。
【００１９】
上記発明では、特定の動作モードとは、たとえばコピージョブや、ＰＣ（Personal Computer）プリントジョブ等であって、この特定の動作モードを実行する場合に内周回避制御を行う。内周回避制御を行わない場合、外周側のトラックが空いていれば外周側のトラックに書き込み、外周側のトラックが空いていないときだけ内周側のトラックに書き込むように制御してもよいし、外周側のトラックが空いていても内周側のトラックに優先的に書き込むように制御してもよい。任意に書き込み先を決定すればよい。
【００２０】
［４］前記制御部は、第２の動作モードでは、所定の境界トラックより内周側のトラックを優先して画像データを保存するように制御する
ことを特徴とする［１］乃至［３］のいずれか１つに記載の画像形成装置。
【００２１】
上記発明では、第２の動作モード実行時は、所定の境界トラックより外周側のトラックが空いていても、内周側のトラックを優先して画像データを書き込む。これにより、特定の動作モード実行時に画像データを書き込むための空き領域、すなわち、所定の境界トラックより外周側のトラックを確保することができる。
【００２２】
［５］ユーザからの操作を受け付ける操作部を更に備え、
前記制御部は、所定のデータ転送速度以上で画像データを読み出す必要のある第３の動作モードの実行を指示する可能性の高い操作をユーザから受け付けた際に、その読み出し対象の画像データが前記境界トラックより内周側のトラックに保存されている場合は、前記画像データを複製した複製データを前記第２記憶装置に作成し、
前記複製データの複製元の画像データを読み出し対象とする前記第３の動作モードの実行を指示する操作をユーザから受け付けた場合は、前記複製データを前記第２記憶装置から読み出す
ことを特徴とする［３］または［４］に記載の画像形成装置。
【００２３】
上記発明では、所定のデータ転送速度以上でデータを読み出す必要のある第３の動作モードの実行を指示する可能性の高い操作をユーザから受け付けた際に、その読み出し対象の画像データが境界トラックより内周側のトラックに保存されている場合は、その画像データを複製した複製データを第２記憶装置に保存し、複製元の画像データを読み出し対象とする第３の動作モードの実行を指示する操作をユーザから受け付けた場合は、複製データを第２記憶装置から読み出す。第３の動作モードの実行を指示する操作をユーザから受け付ける前に画像データの複製を終えているので、ユーザの実質的な待ち時間を減らすことができ、また、ＨＤＤの内周部に保存されたデータを読み出そうとする場合であっても、データ転送速度を、ユーザが所望する速度以上に保つことができる。
【００２４】
［６］前記特定の動作モードは、コピーとＰＣプリントのうちのすくなくとも１つを含む
ことを特徴とする［３］に記載の画像形成装置。
【００２５】
［７］前記ＨＤＤはＲＡＩＤ構成されており、
画像データは前記ＨＤＤへストライピングにより保存される
ことを特徴とする［１］乃至［６］のいずれか１つに記載の画像形成装置。
【００２６】
［８］前記第２記憶装置はＳＳＤである
ことを特徴とする［１］乃至［６］のいずれか１つに記載の画像形成装置。
【発明の効果】
【００２７】
本発明に係る画像形成装置によれば、ＨＤＤの保存領域を有効に利用しつつ、ＳＳＤ等の第２記憶装置を併用して所望のデータ転送速度を確保することができる。
【図面の簡単な説明】
【００２８】
【図１】本発明の実施の形態に係る画像形成装置の概略構成を示すブロック図である。
【図２】画像形成装置がデータを記憶する様子を示す説明図である。
【図３】ＨＤＤにおける各トラックと、そのトラック上におけるデータ転送速度をグラフにして示す説明図である。
【図４】画像形成装置がデータを保存する際に行う処理を示す流れ図である。
【図５】画像形成装置が実行可能な動作モードが記載された動作モード表である。
【図６】振動が少ない場合と、振動が多い場合において、ＨＤＤにおける各トラックと、そのトラック上におけるデータ転送速度をグラフにして示す説明図である。
【図７】第２の実施の形態において、画像形成装置がデータを保存する際に行う処理を示す流れ図である。
【図８】第３の実施の形態において、ＨＤＤの内周部に保存されているデータを、生産性維持速度以上のデータ転送速度を必要とする動作モードで読み出そうとする場合の処理を示す流れ図である。
【図９】ＨＤＤの内周部に保存されているデータを、生産性維持速度以上のデータ転送速度を必要とする動作モードで読み出そうとする場合のデータフローを示す説明図である。
【発明を実施するための形態】
【００２９】
以下、図面に基づき本発明の実施の形態を説明する。
【００３０】
図１は、本発明の実施の形態に係る画像形成装置１０の概略構成図を示す。画像形成装置１０は、当該画像形成装置１０の動作を制御するＣＰＵ（Central Processing Unit）１１と、バス２３を通じてＣＰＵ１１に接続されたＲＯＭ（Read Only Memory）１２と、ＲＡＭ（Random Access Memory）１３と、不揮発メモリ１４と、ＤＭＡ（Direct Memory Access）コントローラ１５と、表示部１６と、操作部１７と、ネットワークＩ／Ｆ（Interface）部１８と、スキャナ部１９と、画像処理部２０と、プリンタ部２１と、ファクシミリ通信部２２と、ＳＳＤコントローラ３０と、ＨＤＤコントローラ３１と、ＳＳＤ３２と、４台のＨＤＤ（ＨＤＤ１、ＨＤＤ２、ＨＤＤ３、ＨＤＤ４）を備える記憶部３３で構成されている。
【００３１】
ＣＰＵ１１はＯＳ（Operating System）プログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０の各機能が実現される。ＲＡＭ１３はＣＰＵ１１がプログラムを実行する際に各種のデータを一時的に格納するワークメモリや画像データを格納する画像メモリなどとして使用される。
【００３２】
不揮発メモリ１４は、電源がオフにされても記憶が保持できる書き換え可能なメモリ（フラッシュメモリ）である。不揮発メモリ１４には、装置固有の情報や各種の設定情報などが記憶される。
【００３３】
ＤＭＡコントローラ１５は、ＣＰＵ１１の指示に従って、ＨＤＤコントローラ３１とＳＳＤコントローラ３０の間や、これらとＣＰＵ１１等との間など、２つのデバイス間でのデータ転送を行う。
【００３４】
ＳＳＤコントローラ３０は、ＣＰＵ１１の指示に従ってＳＳＤ３２に対してデータの読み出し、書き込みを行う。ＳＳＤ３２は、不揮発の記憶装置であり、読み出し頻度の高い設定情報などが記憶される。ＳＳＤ３２のデータ転送速度は、ＲＡＩＤ０構成のＨＤＤにデータをストライピングで保存する際に、後述する境界トラックを使用した場合におけるデータ転送速度より速い。また、ＨＤＤに比べて振動等の影響を受けにくい特徴を持つ。
【００３５】
ＨＤＤコントローラ３１は、ＣＰＵ１１の指示に従って記憶部３３に対してデータの読み出し、書き込みを行う。記憶部３３は、大容量の不揮発の記憶装置であるＨＤＤを複数台備えている。ＨＤＤには、ＯＳプログラムや各種アプリケーションプログラム、印刷データや画像データ、ジョブ履歴、設定途中履歴などが保存される。本実施の形態では、４台のＨＤＤ（ＨＤＤ１、ＨＤＤ２、ＨＤＤ３、ＨＤＤ４）を備え、画像データを保存する場合は、その４台のＨＤＤによるＲＡＩＤ０（ストライピング）の方式を採用している。
【００３６】
表示部１６は、液晶ディスプレイ（ＬＣＤ…Liquid Crystal Display）などで構成され、各種の操作画面、設定画面などを表示する機能を果たす。操作部１７は、ユーザからジョブの投入や設定など各種の操作を受け付ける機能を果たす。操作部１７は、表示部１６の画面上に設けられて押下された座標位置を検出するタッチパネルのほかテンキーや文字入力キー、印刷開始のスタートボタンなどを備えて構成される。
【００３７】
ネットワークＩ/Ｆ部１８は、ＬＡＮ（Local Area Network）などのネットワークを通じて接続されている他の外部装置などと通信を行う。
【００３８】
スキャナ部１９は、原稿を光学的に読み取って画像データを取得する機能を果たす。スキャナ部１９は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。本実施の形態では、スキャナ部１９は、ＡＤＦ（Auto Document Feeder）によって原稿を搬送することにより、読み取る位置に対して原稿を相対移動させながら読み取る流し読み形式（1 to 1 Scan）と、原稿をプラテンガラス上に載置した状態で読み取る形式（プラテンScan）のいずれかの方法で原稿を読み取り、画像データを取得する。
【００３９】
画像処理部２０は、画像の拡大縮小、回転などの処理のほか、印刷データをイメージデータに変換するラスタライズ処理、画像データの圧縮、伸張処理を行う。
【００４０】
プリンタ部２１は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置等とを有し、電子写真プロセスによって画像形成を行う、所謂、レーザープリンタ（プリンタエンジン）として構成されている。画像形成は、インクジェット方式や、他の方式でもかまわない。本実施の形態では、プリンタ部２１はカラー印刷が可能であるものとする。なお、モノクロ印刷を行う場合は印刷速度が、カラー印刷を行う場合に比べて速くなる。
【００４１】
ファクシミリ通信部２２は、ファクシミリ送信および受信に係る動作を制御する。
【００４２】
画像形成装置１０は、記憶部３３が備える４台のＨＤＤ１〜ＨＤＤ４でＲＡＩＤを構成しており、画像データの保存に際してＲＡＩＤ０（ストライピング）を行っている。ストライピングは複数台のＨＤＤに、データを分散して読み書きする方法であり、１台のＨＤＤを単独で使用する場合に比べて処理のスピード（データ転送速度）を高速化することができる。
【００４３】
ＣＰＵ１１は、特定の動作モードでＨＤＤ（記憶部３３）に画像データを書き込む際には、外周側のトラックから内周側のトラックに向けて順番にシーケンシャルアクセスでデータを書き込むように書き込み先を決定する。そして、その決定したトラックが、所定のトラック（境界トラックとする）より内周側の場合は、書き込み先を変更して、ＳＳＤ３２にその画像データを書き込む。このような制御を、内周回避制御と呼ぶものとする。
【００４４】
ＨＤＤでは、トラックが内周側に近づくほどデータ転送速度が遅くなるので、データ転送速度が所定の値以下に低下することが問題となる特定の動作モードで動作する場合には、上記の内周回避制御を行うことで、データ転送速度の低下を防止する。
【００４５】
たとえば、ＰＣ４０（図２参照）から受信した印刷ジョブ（ＰＣプリントジョブ）を実行する場合、画像形成装置１０としての生産性が維持される速度、すなわち、画像形成装置１０のスペック上の最大印刷速度、での印刷が要求される。
【００４６】
ＰＣプリントジョブでは、受信した印刷データをイメージデータに展開して画像データを作成し、この画像データをＨＤＤに順次保存する処理を行いながら、展開の完了したページの画像データをＨＤＤから順にページメモリに読み出し、１ページ分の画像データがページメモリに格納された時点でプリンタ部２１にそのページの印刷を指示するようになっている。このため、展開した画像データをＨＤＤに転送する場合やＨＤＤからページメモリへ画像データを読み出す際のデータ転送速度が遅いと、プリンタ部２１での印刷待ちが発生し、画像形成装置１０の生産性が低下してしまう。
【００４７】
そこで、ＰＣプリントジョブを実行する場合には、画像データの保存を前述した内周回避制御で行う。これにより、一定以上のデータ転送速度が維持され、画像形成装置１０としての生産性を確保することができる。特定の動作モードで行うジョブには、上記のＰＣプリントジョブのほか、コピージョブなどがある。以後、画像形成装置１０の生産性を維持するために必要なデータ転送速度を、生産性維持速度と呼ぶものとする。
【００４８】
なお、ＨＤＤの各トラックには、最外周のトラックの番号を０とし、１つ内周側となる毎に、２、３、４…と１ずつ増加するようにトラック番号が割り振られている。ＳＳＤ３２に書き込み先を変更するか否かの判断基準となる境界トラックは、トラック番号で指定される。境界トラックのトラック番号を閾値Ｎとする。
【００４９】
図２は、画像形成装置１０が画像データを保存する際のデータフローを示している。スキャナ部１９で読み取った画像データや、ネットワークＩ／Ｆ部１８がＰＣ４０から受信した画像データは、通常、記憶部３３に（４台のＨＤＤにストライピングで）保存される。ＣＰＵ１１は、特定の動作モードで動作する場合には、画像データの保存先を、プラッタの外周部（外周のトラック）から内周部（内周のトラック）に向けて順に書き込み先を決定する。
【００５０】
次に、この決定した書き込み先のトラックのトラック番号Ｙと、前述の境界トラックのトラック番号（閾値Ｎ）とを比較し、書き込み先のトラック番号Ｙが閾値Ｎより大きい場合は、書き込み先をＳＳＤ３２に変更し、そのデータをＳＳＤ３２に保存する。
【００５１】
なお、連続的に画像データを書き込んでいる途中であっても、書き込み先に決定したトラックが境界トラックより内周になったときは、その時点から画像データの保存先をＳＳＤ３２に変更するようになっている。なお、境界トラックの位置に余裕を持たせておき（余裕分だけ外周側に設定し）、一旦、ＨＤＤへの書き込みを開始すると、その一連の画像データの書き込みが完了するまではＨＤＤへの書き込みを維持し、次回からＳＳＤ３２へ書き込み先を変更するように構成されてもよい。
【００５２】
図３（Ａ）は、ＨＤＤにデータを読み書きする際の場所（トラック）とデータ転送速度との関係を示している。横軸はトラック番号、縦軸はデータ転送速度を示している。グラフの上部で密集する各点は４台のＨＤＤをＲＡＩＤ構成でストライピングしたときのデータ転送速度を示し、グラフ中央から下部にかけて存在する各点は１台ずつのＨＤＤのデータ転送速度を示している。
【００５３】
読み書きする場所（トラック）が内周側に進むにつれてデータ転送速度は遅くなっていき、トラックＰ１よりも内周側のトラックでのデータ転送速度は、生産性維持速度よりも遅くなっている。
【００５４】
図３（Ｂ）は、トラックＰ２より内周側ではＨＤＤに代えてＳＳＤを使用する場合のデータ転送速度を示している。トラックＰ２は、トラックＰ１よりもある程度余裕を持たせて外周側に設定してある。ＳＳＤ３２に読み書きする際のデータ転送速度は、図中のグラフＥに示すように、生産性維持速度以上の速度で一定に保たれる。このように書き込み場所がトラックＰ２より内周側になる場合に、その書き込み先をＨＤＤからＳＳＤ３２へ変更することで、データ転送速度を生産性維持速度以上に維持することができる。
【００５５】
図４は、画像形成装置１０が画像データを保存する場合に実行する書き込み制御を示す流れ図である。特定の動作モードにて画像データを保存する場合は、その画像データの書き込み先に応じて内周回避制御を行う。
【００５６】
まず、画像データを保存する際に、実行される動作モードが特定の動作モードであるか否かを調べる（ステップＳ１０１）。特定の動作モードでなければ（ステップＳ１０１；Ｎｏ）、記憶部３３（ＨＤＤ１〜４）にデータを書き込んで（ステップＳ１０２）、処理を終了する。ステップＳ１０２でデータを書き込む際は、ＨＤＤの外周部のトラックに書き込んでもよいし、境界トラックより内周側のトラックに優先して書き込んでもよい。
【００５７】
特定の動作モードとは、たとえば、プラテン to コピーや、ＨＤＤ to プリント等のジョブが挙げられる。動作モード（ジョブ）についての詳細な説明は、図５にて後述する。
【００５８】
特定の動作モードであれば（ステップＳ１０１；Ｙｅｓ）、画像データをＨＤＤの外周側から優先的に書き込む場合において、次に画像データを書き込むべき場所（書き込み先）を決定する（ステップＳ１０３）。そして、その書き込み先のトラックが、境界トラックより内周か否かを判断する（ステップＳ１０４）。
【００５９】
具体的には、書き込み先のトラックのトラック番号Ｙと境界トラックのトラック番号（閾値Ｎ）とを比較する。書き込み先のトラックが境界トラックより内周側でなければ（ステップＳ１０４；Ｎｏ）、その画像データをＨＤＤ（記憶部３３）に書き込んで（ステップＳ１０５）、処理を終了する。
【００６０】
書き込み先のトラックが境界トラックより内周側の場合は（ステップＳ１０４；Ｙｅｓ）、その画像データをＳＳＤ３２に書き込んで（ステップＳ１０６）、処理を終了する。
【００６１】
このように、特定の動作モードでＨＤＤ（記憶部３３）に画像データの書き込みを行う際に、その書き込み先のトラックが境界トラックより内周側であれば、ＨＤＤではなくＳＳＤ３２にその画像データを保存する。これにより、データ転送速度が、生産性維持速度以上に保たれるので、画像形成装置１０の生産性が維持される。
【００６２】
これより、動作モード（ジョブ）について説明する。図５は、画像形成装置１０が実行可能な動作モードが登録されている動作モード表１００を示す。動作モード表１００は、動作モード欄１０１と、詳細動作モード欄１０２と、生産性維持要求欄１０３と、振動レベル欄１０４と、制御方法欄１０５で構成されている。また、画像形成装置１０が実行可能な動作モード毎に、生産性維持速度以上のデータ転送速度の要求があるか否か、動作モード実行時に画像形成装置１０が発する振動の強さ（振動レベル）と、およびその動作モードでの制御方法等が対応付けて登録されている。
【００６３】
動作モード欄１０１には、大まかに分類した動作モードの種類が記載されている。この例では、マルチ動作、コピー、プリント、Ｓｃａｎ、ＨＤＤ to ｘｘｘ、ｘｘｘ to ＨＤＤの６種類が登録されている。なお、ｘｘｘの内容は、対応する詳細動作モード欄１０２に記載されている。
【００６４】
詳細動作モード欄１０２には、動作モード欄１０１に示した各分類に含まれる個々の動作モードが記載されている。ここでは、実施例１では、詳細動作モード欄１０２に記載されているような個々の動作モードを基準に画像データの読み書きに関する制御を変更する。
【００６５】
詳細動作モード欄１０２に登録されている個々の動作モード（ジョブ）の詳細は以下の通りである。
＜動作モード欄１０１のマルチ動作の項目に属する動作モード＞
１、Scan to ＨＤＤ プリント
スキャナ部１９で読み取った画像データをＨＤＤに書き込み、そのデータを読み出してプリントを行う動作モード。
＜動作モード欄１０１のコピーの項目に属する動作モード＞
２、1 to 1コピー
ＡＤＦが搬送してくる原稿を、スキャナ部１９が読み取って得た画像データに基づいてプリントを行う動作モード。
３、プラテンコピー
プラテンガラス上にセットされた原稿をスキャナ部１９が読み取って得た画像データに基づいてプリントを行う動作モード。
＜動作モード欄１０１のプリントの項目に属する動作モード＞
４、ＬＡＮプリント
ＬＡＮ経由で受信したプリントデータをイメージデータに展開してＨＤＤに保存し、プリントを行う動作モード。
５、ＵＳＢプリント
ＵＳＢメモリから読み出したプリントデータをイメージデータに展開してＨＤＤに保存し、プリントを行う動作モード。
６、ＨＤＤ to プリント
ＨＤＤから読み出したプリントデータをイメージデータに展開してＨＤＤに保存し、プリントを行う動作モード。
７、ＥＦＩ（Extensible Firmware Interface）プリント
ＥＦＩコントローラ側の記憶装置（外部の記憶装置）から読み出したプリントデータをイメージデータに展開してＨＤＤに保存し、プリントを行う動作モード。
＜動作モード欄１０１のＳｃａｎの項目に属する動作モード＞
８、（１ to １Ｓｃａｎ）to ＨＤＤ
ＡＤＦが搬送してくる原稿を、スキャナ部１９が読み取って得た画像データをＨＤＤに保存する動作モード。
９、（１ to １Ｓｃａｎ）to Ｅ-mail
ＡＤＦが搬送してくる原稿を、スキャナ部１９が読み取って得た画像データを電子メールで送信する動作モード。
１０、（１ to １Ｓｃａｎ）to ＥＦＩ
ＡＤＦが搬送してくる原稿を、スキャナ部１９が読み取って得た画像データをＥＦＩコントローラ側の記憶装置に保存する動作モード。
１１、（プラテンＳｃａｎ）to ＨＤＤ
プラテンガラス上にセットされた原稿をスキャナ部１９が読み取って得た画像データをＨＤＤに保存する動作モード。
１２、（プラテンＳｃａｎ）to Ｅ-mail
プラテンガラス上にセットされた原稿をスキャナ部１９が読み取って得た画像データを電子メールで送信する動作モード。
１３、（プラテンＳｃａｎ）to ＥＦＩ
プラテンガラス上にセットされた原稿をスキャナ部１９が読み取って得た画像データをＥＦＩコントローラ側の記憶装置に保存する動作モード。
＜動作モード欄１０１のＨＤＤ to xxxの項目に属する動作モード＞
１４、ＨＤＤ to プリント（２）
ＨＤＤに保存されているイメージデータを読み出してプリントを行う動作モード。
１５、ＨＤＤ to ＰＣ（ダウンロード）
ＨＤＤに保存されているイメージデータを読み出してＰＣ４０（図２参照）に送信する動作モード。
＜動作モード欄１０１のxxx to ＨＤＤの項目に属する動作モード＞
１６、ＰＣ（アップロード）to ＨＤＤ
ＰＣ４０からデータを受信し、ＨＤＤに保存する動作モード。
【００６６】
生産性維持要求欄１０３には、詳細動作モード欄１０２に記載されている動作モードごとに、生産性維持速度以上のデータ転送速度の要求があるか否かが表示されている。
【００６７】
要求がある場合は○、要求が無い場合は×が表示されている。○が表示されている動作モードは、生産性を維持することが要求される動作モードなので、生産性を維持する為に生産性維持速度以上のデータ転送速度の確保を要する。そこで、この動作モードを、前述の内周回避制御を行う特定の動作モードとする。この動作モードにて画像データをＨＤＤ（記憶部３３）に書き込む場合には、前述の内周回避制御が行われ、書き込み先に決定したトラックが境界トラックより内周側の場合は、そのデータをＳＳＤ３２に書き込むように制御される。
【００６８】
生産性維持要求欄１０３にて×が表示されている動作モードは、生産性を維持する必要が無い動作モードである。データ転送速度が遅くてもかまわないので、ＳＳＤ３２への切り替えは行わない。また、この動作モードでＨＤＤ（記憶部３３）にデータを書き込む際には、所定のトラックより内周側のトラックに積極的に書き込む。
【００６９】
なお、制御方法欄１０５には、詳細動作モード欄１０２に記載されている動作モードごとに、その動作モードでジョブを実行する際のＨＤＤ（記憶部３３）とＳＳＤ３２の制御方法（データの読み書き方法）を記載している。たとえば、動作モード欄１０１のマルチ動作、コピー、プリントの項目に属する動作モードには、ＨＤＤの外周部からデータを書き込んでいき、所定のトラックよりも内周側のトラックにさしかかったらＳＳＤに切り替える制御方法、すなわち、内周回避制御を実行することが記載されている。振動レベル欄１０４についての説明は、後述する。
【００７０】
＜第２の実施の形態＞
第２の実施の形態では、ＨＤＤとＳＳＤ３２を切り替えるための閾値となる境界トラックを動作モードに応じて変更する。
【００７１】
画像形成装置１０がＨＤＤ（記憶部３３）にデータを保存する場合、その保存時に当該画像形成装置１０で発生している振動の強弱によって、データ転送速度が変化する。振動が強ければ強いほどＨＤＤのデータ転送速度は低下する。そこで、データを保存する際に生じる振動が強いほど、境界トラックの場所を外周側のトラックに変更する。これにより、振動によってＨＤＤ（記憶部３３）のデータ転送速度が低下しても、生産性維持速度を下回る前にＳＳＤ３２に切り替え、生産性を維持することができる。なお、ＳＳＤ３２は、振動の強弱によってデータ転送速度が変化しない。
【００７２】
なお、画像形成装置１０に生じる振動の強弱は、画像形成装置１０の動作モードに依存するので、ここでは、動作モードに応じて境界トラックの場所（トラック番号）を切り替えるようにしている。すなわち、画像形成装置１０が有する主な振動源は機械的な動作部分であり、主としてスキャナ部１９とプリンタ部２１であり、各動作モードにおける振動の強弱は、それぞれの動作モードでのスキャナ部１９やプリンタ部２１の使用の有無およびその使われ方に依存する。
【００７３】
たとえば、ＵＳＢ（Universal Serial Bus）プリントとコピーを比較した場合には、コピーを行う場合の方が、スキャナ部１９が稼働する分だけ振動が多く（強く）なる。Scan
to ＨＤＤとコピーを比較した場合には、コピーを行う場合の方が、プリンタ部が稼働する分だけ振動が多く（強く）なる。カラー印刷とモノクロ印刷の場合では、モノクロ印刷を行う場合の方が、通紙速度が速い分だけ振動が多く（強く）なる。
【００７４】
図６は、ＨＤＤにデータを読み書きする際の場所（トラック）とデータ転送速度との関係を、画像形成装置１０が発する振動が強い場合と弱い場合について示している。
【００７５】
図６（Ａ）は振動が弱い場合を、図６（Ｂ）は振動が強い場合を示している。いずれの場合も、読み書きする場所（トラック）が内周側に進むにつれて、データ転送速度が遅くなる傾向は図３と同様であるが、振動が強い場合（同図（Ｂ））には、振動が弱い場合（同図（Ａ））に比べて、各トラックにおけるデータ転送速度が遅くなっている。
【００７６】
振動の弱い図６（Ａ）のグラフ９２ではトラックＰ３を境界トラックとし、この境界トラックＰ３より内周側では書き込み先をＳＳＤに変更することでデータ転送速度を生産性維持速度以上に維持することができている。
【００７７】
しかし、振動の強い図６（Ｂ）のグラフ９３では、トラックＰ３よりも外周側のトラックで既にデータ転送速度が生産性維持速度を下回ってしまう。そこで、グラフ９３ではトラックＰ３よりも外周側のトラックＰ４を境界トラックとし、該境界トラックＰ４より内周側のトラックに書き込む予定の画像データはＳＳＤ３２に書き込む。これにより、データ転送速度は生産性維持速度以上に維持される。
【００７８】
図７は、第２の実施の形態において、画像形成装置１０が画像データを保存する場合に実行する書き込み制御を示す流れ図である。図４と同じく、特定の動作モードにて画像データを保存する場合は、その画像データの書き込み先に応じて内周回避制御を行う。
【００７９】
まず、画像データを保存する際に、実行される動作モードが特定の動作モードであるか否かを調べる（ステップＳ２０１）。特定の動作モードでなければ（ステップＳ２０１；Ｎｏ）、記憶部３３（ＨＤＤ１〜４）にデータを書き込んで（ステップＳ２０２）、処理を終了する。図４と同じく、ステップＳ２０２でデータを書き込む際は、ＨＤＤの外周部のトラックに書き込んでもよいし、境界トラックより内周側のトラックに優先して書き込んでもよい。
【００８０】
特定の動作モードであれば（ステップＳ２０１；Ｙｅｓ）、画像データをＨＤＤの外周側から優先的に書き込む場合において、次に画像データを書き込むべき場所（書き込み先）を決定する（ステップＳ２０３）。
【００８１】
次に、実行される動作モードに応じて境界トラックの場所（トラック番号）を切り替える（ステップＳ２０４）。ここで、一時的に図５に戻り、振動の強弱に応じて境界トラックの場所を変更する処理の詳細について説明する。
【００８２】
実機振動レベル欄１０４には、詳細動作モード欄１０２に記載されている動作モードごとに、その動作モードを実行した際に画像形成装置１０が発する振動の強さを表すレベルが表示されている。レベル１〜７で表示され、「１」が最も振動が強いことを示し、数値が大きくなるほど弱い振動を示している。
【００８３】
第２の実施の形態では、振動のレベル毎に、境界トラックのトラック番号が予め設定されて記憶されている。詳細には、振動のレベルがレベル１に近い（振動が大きい）ほど、外周側のトラック番号が境界トラックのトラック番号として設定される。ＣＰＵ１１は、実行する動作モードが決定すると、その動作モードの振動レベルに対応づけて記憶されているトラック番号を、その動作モードを実行する際の境界トラックのトラック番号に決定する。
【００８４】
なお、プリントを行う動作モードにおいて、振動レベル欄１０４に表示されている実機振動レベルはカラー印刷を行う場合の値であり、モノクロ印刷でプリントを行う場合は、その表示されている値を＋１した振動レベルの振動が発生するものとして、境界トラックを決定する。ただし、振動レベル欄１０４に表示されている実機振動レベルが「１」の動作モードでモノクロ印刷を行う場合は、たとえば、境界トラックをさらに所定量だけ外周側にシフトするようになっている。
【００８５】
図７に戻って説明を続ける。その後、その書き込み先のトラックが、境界トラックより内周か否かを判断する（ステップＳ２０５）。書き込み先のトラックが境界トラックより内周側でなければ（ステップＳ２０５；Ｎｏ）、その画像データをＨＤＤ（記憶部３３）に書き込んで（ステップＳ２０６）、処理を終了する。
【００８６】
書き込み先のトラックが境界トラックより内周側の場合は（ステップＳ２０５；Ｙｅｓ）、その画像データをＳＳＤ３２に書き込んで（ステップＳ２０７）、処理を終了する。
【００８７】
第２の実施の形態では、動作モードごとに、画像形成装置１０が発する振動の強さ（振動レベル）を登録しておき、任意の動作モードでジョブを実行するとき、その動作モードの振動のレベルに応じた境界トラックを使用するようになっている。たとえば、振動が強ければ強いほどＨＤＤのデータ転送速度は低下するので、強い振動が発生する動作モードを実行する際には、境界トラックを外周側のトラックに変更する。これにより、振動によってＨＤＤのデータ転送速度が低下しても、生産性維持速度を下回る前にＳＳＤ３２に切り替え、生産性を維持することができる。
【００８８】
＜第３の実施の形態＞
データ転送速度が生産性維持速度より遅くてもかまわない動作モードにてデータを書き込む場合、ＨＤＤの内周部のトラック（境界トラックより内周側のトラック）にデータを優先的に書き込む。そして、この内周部のトラックに書き込んだデータを、生産性維持速度以上のデータ転送速度を必要とする動作モードで読み出す場合がある。しかし、内周部のトラックからデータを読み出したのでは、データ転送速度が生産性維持速度に満たない。
【００８９】
そこで第３の実施の形態では、生産性維持速度以上のデータ転送速度でデータを読み出す必要のある動作モードの実行を指示する可能性の高い操作をユーザから受け付けた際に、その読み出し対象となるデータがＨＤＤの境界トラックより内周側のトラックに保存されている場合は、その読み出し対象のデータをＳＳＤ３２に複製、保存し、その動作モードで当該読み出し対象のデータの読み出しが指示されたら、ＳＳＤ３２から複製したデータ（複製データ）を読み出す。これにより、読み出し対象のデータがＨＤＤの内周部に保存されていても、読み出しの際のデータ転送速度を生産性維持速度以上に保つことができる。
【００９０】
内周部のトラックにデータを書き込む動作モードとしては、図５の詳細動作モード欄１０２における(１to１Scan) to ＨＤＤと、(プラテンScan) to ＨＤＤ、ＰＣ(アップロード) to ＨＤＤ等がある。これらの動作モードは、画像データをＨＤＤに書き込む動作のみを行うものであり、生産性維持速度以上のデータ転送速度を必要としない。
【００９１】
また、生産性維持速度以上のデータ転送速度でデータを読み出す必要のある動作モードとしては、図５の詳細動作モード欄１０２におけるＨＤＤ
to プリント（２）がある。
【００９２】
図８は、第３の実施の形態において、ＳＳＤ３２から画像データが読み出される場合の処理を示す流れ図を、図９は、複製データをＳＳＤ３２に作成し、そのデータが読み出されるまでのデータフローを示す。図９のデータフローと照らし合わせながら、図８の処理の流れを説明する。
【００９３】
まず、生産性維持速度以上のデータ転送速度でデータを読み出す必要のある動作モードの実行を指示する可能性の高い操作をユーザから受け付けるまでまって（ステップＳ３０１；Ｎｏ）、受け付けたら（ステップＳ３０１；Ｙｅｓ）、その動作モードの読み出し対象となるデータの保存場所を特定する（ステップＳ３０２）。
【００９４】
生産性維持速度以上のデータ転送速度でデータを読み出す必要のある動作モードの実行を指示する可能性の高い操作とは、たとえば、ＨＤＤ内に保存されている画像データを表示部１６にプレビュー表示させる操作等である。
【００９５】
ステップＳ３０２で特定した保存場所が境界トラックよりも内周側のトラックか否かを調べる（ステップＳ３０３）。保存場所が境界トラックよりも内周側でなければ（ステップＳ３０３；Ｎｏ）、処理を終了する。
【００９６】
保存場所が境界トラックよりも内周側である場合は（ステップＳ３０３；Ｙｅｓ）、その読み出し対象となるデータを、ＨＤＤから読み出して、ＳＳＤ３２に書き込む（複製データを作成する）（ステップＳ３０４）。ステップＳ３０４の処理は、図９のデータフローにおけるＳ１に該当する。
【００９７】
図８に戻って説明を続ける。次に、生産性維持速度以上のデータ転送速度で前述の読み出し対象のデータを読み出す必要のある動作モードの実行を指示する操作を受け付けるまで待つ（ステップＳ３０５；Ｎｏ）。生産性維持速度以上のデータ転送速度で前述の読み出し対象のデータを読み出す必要のある動作モードは、図５の詳細動作モード欄１０２におけるＨＤＤ
to プリント（２）である。
【００９８】
ステップＳ３０４における複製元のデータを読み出し対象とするＨＤＤ to プリント（２）の実行を指示する操作を受け付けたら（ステップＳ３０５；Ｙｅｓ）、読み出し対象のデータの代わりにＳＳＤ３２からステップＳ３０４で複製したデータを読み出し（ステップＳ３０６）、その複製データに基づいて印刷を実行したら（ステップＳ３０７）、処理を終了する。
【００９９】
ステップＳ３０６の処理は、図９のデータフローにおけるＳ２に該当する。ステップＳ３０７の処理は、図９のデータフローにおけるＳ３に該当する。
【０１００】
なお、ステップＳ３０５にて、ステップＳ３０４における複製元のデータを読み出し対象とするＨＤＤ to プリント（２）の実行を指示する操作を一定時間受け付けなかった場合は、ステップＳ３０４にて複製したデータを消去して処理を終了してもよい。
【０１０１】
なお、図８のステップＳ３０４において、ＳＳＤ３２にデータの複製が完了する前に、ステップＳ３０４の複製元のデータを読み出し対象とするＨＤＤ
to プリント（２）の実行を指示する操作を受け付けたら、複製が完了するまで待って、ＳＳＤ３２から複製したデータを読み出してもよいし、複製処理を継続しつつ、ＳＳＤ３２から複製したデータの読み出しを開始してもよい。
【０１０２】
本発明は、生産性維持速度以上のデータ転送速度を必要とする動作モードでＨＤＤ（記憶部３３）にデータの書き込みを行う際に、その書き込み予定場所のトラックが所定のトラックよりも内周側であれば、ＳＳＤ３２にそのデータを保存する。これにより、ＨＤＤの増設を行わずとも、データ転送速度が生産性維持速度以上に保たれるので画像形成装置１０の生産性が維持される。
【０１０３】
また、振動の影響でＨＤＤのデータ転送速度が低下する場合であっても、境界トラックをその振動の強さに応じて変更することにより、データ転送速度が生産性維持速度以上に保たれるので、画像形成装置１０の生産性が維持される。
【０１０４】
さらに、生産性維持速度以上のデータ転送速度でデータを読み出す必要のある動作モードの実行を指示する可能性の高い操作をユーザから受け付けた際に、その読み出し対象となるデータがＨＤＤの所定のトラックより内周側のトラックに保存されている場合は、その読み出し対象のデータをＳＳＤ３２に複製し（複製データを作成し）、その動作モードで当該読み出し対象のデータの読み出しが指示されたら、複製データをＳＳＤ３２から読み出す。読み出しを指示する操作をユーザから受け付ける前に画像データの複製を終えているので、ユーザの実質的な待ち時間を減らすことができ、また、ＨＤＤの内周部に書き込まれたデータを読み出す場合であっても、データ転送速度が生産性維持速度以上に保たれ、よって画像形成装置１０の生産性が維持される。
【０１０５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０６】
実施の形態では、ＨＤＤ（記憶部３３）とＳＳＤ３２を併用していたが、ＳＳＤ３２を他の記憶装置に代えてもよい。代替が可能な記憶装置は、そのデータ転送速度が、ＲＡＩＤ０構成されストライピングによりデータが保存されるＨＤＤの境界トラックを使用した場合におけるデータ転送速度より速いものであればよい。
【０１０７】
本発明の実施の形態では、画像形成装置１０がＨＤＤを４台備え、その４台でＲＡＩＤ０を構成していたが、画像形成装置１０が備えるＨＤＤの数、及びＲＡＩＤ０を構成するＨＤＤの数はこれに限らない。より多くの台数のＨＤＤでＲＡＩＤ０を構成してもよい。生産性維持速度以上のデータ転送速度を確保できるのならば、ストライピングを行わなくてもよい。
【０１０８】
本発明の実施の形態では、連続するデータを書き込む際に、オーバーした時点でデータ転送速度が生産性維持速度以下になるトラックを境界トラックとし、オーバーした時点で即時に書き込み先をＳＳＤ３２に切り替えるようにしていたが、境界トラックをオーバーして書き込みが行われた場合であっても生産性維持速度以上のデータ転送速度を保つため、データ転送速度が生産性維持速度以下になるトラックよりも、その余裕の分だけ外周側のトラックを境界トラックとしてもよい。この場合、データの書き込み開始時に、その書き込み開始場所のトラックが境界トラックより内周側のトラックであれば、書き込み先をＳＳＤ３２に切り替えるが、連続するデータの書き込み途中で境界トラックをオーバーした場合は、その連続するデータは最後までＨＤＤに書き込んでもよい。
【０１０９】
本発明の実施の形態では、境界トラックは、データ転送速度が生産性維持速度を下回らないように決定していたが、ユーザの所望するデータ転送速度が生産性維持速度以上であれば、この速度を下回らないように決定してもよい。
【０１１０】
本発明の実施の形態では、特定の動作モード実行時は、ＨＤＤの外周部から内周部に向けて順番にデータを書き込むように書き込み先を指定していたが、外周部に空き領域があれば外周部に書き込み、外周部に空きが無ければ内周部に書き込む構成でもよい。この構成では、境界トラックより外周側のトラックに優先して書き込まれるのであればその順番は問わない。外周部（境界トラックより外周側のトラック）に空き領域が無くなったら、ＳＳＤ３２にデータを保存するように制御する。
【符号の説明】
【０１１１】
１０…画像形成装置
１１…ＣＰＵ
１２…ＲＯＭ
１３…ＲＡＭ
１４…不揮発メモリ
１５…ＤＭＡ記憶部（ＨＤＤ１、ＨＤＤ２、ＨＤＤ３、ＨＤＤ４、ＨＤＤ５）
１６…表示部
１７…操作部
１８…ネットワークＩ／Ｆ部
１９…スキャナ部
２０…画像処理部
２１…プリンタ部
２２…ファクシミリ通信部
２３…バス
３０…ＳＳＤコントローラ
３１…ＨＤＤコントローラ
３２…ＳＳＤ
３３…記憶部（ＨＤＤ１、ＨＤＤ２、ＨＤＤ３、ＨＤＤ４）
４０…ＰＣ
９２…グラフ（振動弱）
９３…グラフ（振動強）
１００…動作モード表
１０１…動作モード欄
１０２…詳細動作モード欄
１０３…生産性維持要求欄
１０４…振動レベル欄
１０５…制御方法欄
【図１】
2014138342.tif 000003
【図２】
2014138342.tif 000004
【図３】
2014138342.tif 000005
【図４】
2014138342.tif 000006
【図５】
2014138342.tif 000007
【図６】
2014138342.tif 000008
【図７】
2014138342.tif 000009
【図８】
2014138342.tif 000010
【図９】
2014138342.tif 000011